(57)【要約】【課題】空気調和機が運転を開始した時の運転情報を記憶することにより、故障発生時などに故障の原因解析などを容易に行えるようにすること。【解決手段】室温検出手段３と、吹き出し温度検出手段４と、外気温検出手段５と、圧縮機の運転周波数を検出する圧縮機運転周波数検出手段６と、圧縮機運転開始からの時間を計測する圧縮機運転時間計測手段７と、読み書き可能な不揮発性記憶手段８からなり、空気調和機の運転開始後の初回の圧縮機運転から所定時間後に、前記検出手段により検出した室温と吹き出し温度と外気温と圧縮機運転周波数のいずれか１つまたは複数の運転情報を前記不揮発性記憶手段８に記憶するようにし、運転開始時の運転情報を記憶することができるようにする。【選択図】図１
2005308318.tif 000002
【特許請求の範囲】
【請求項１】
室温を検出する室温検出手段と、空気調和機の吹き出す風の温度を検出する吹き出し温度検出手段と、外気の温度を検出する外気温検出手段と、圧縮機の運転周波数を検出する圧縮機運転周波数検出手段と、圧縮機運転開始からの時間を計測する圧縮機運転時間計測手段と、読み書き可能な不揮発性記憶手段とを備えた空気調和機において、空気調和機の運転開始後の初回の圧縮機運転から所定時間後に、前記検出手段により検出した室温と吹き出し温度と外気温と圧縮機運転周波数のいずれか１つまたは複数の運転情報を前記不揮発性記憶手段に記憶するようにしたことを特徴とする空気調和機の制御装置。
【請求項２】
不揮発性記憶手段への運転情報の書き込みは、空気調和機の電源投入後の初回運転時のみに、初回の圧縮機運転から所定時間後に実施するようにしたことを特徴とした請求項１に記載の空気調和機の制御装置。
【請求項３】
不揮発性記憶手段への運転情報の書き込みは、空気調和機の試運転時の初回のみに、圧縮機運転から所定時間後に実施するようにしたことを特徴とした請求項１に記載の空気調和機の制御装置。
【請求項４】
不揮発性記憶手段への運転情報の書き込みは、製品出荷後１回しか実施しないようにしたことを特徴とした請求項１〜３のいずれか１項に記載の空気調和機の制御装置。
【請求項５】
空気調和機の運転、停止や設定温度などを外部から制御する機器を接続するための端子を備えていることを特徴とした請求項１〜４のいずれか１項に記載の空気調和機の制御装置。
【請求項６】
吹き出し温度検出手段は、空気調和機の室内熱交換器の温度を検出する熱交温度検出手段であることを特徴とした請求項１〜５のいずれか１項に記載の空気調和機の制御装置。
【請求項７】
不揮発性記憶手段は、ＥＥＰＲＯＭであることを特徴とした請求項１〜６のいずれか１項に記載の空気調和機の制御装置。
【請求項８】
不揮発性記憶手段に記憶された運転情報の読み出しは、空気調和機の運転、停止や設定温度などを外部から制御する機器を接続するための端子を用いて行えるようにしたことを特徴とした請求項５〜７のいずれか１項に記載の空気調和機の制御装置。
【発明の詳細な説明】
【技術分野】
【０００１】
本発明は、空気調和機に具備した制御装置に関するものである。
【背景技術】
【０００２】
従来、この種の空気調和機の制御装置では、空気調和機の故障内容を把握するために空気調和機の異常を検知し、故障内容を不揮発性記憶手段に記憶して、空気調和機のリモコン等を用いてその内容を確認できるようにしている（例えば、特許文献１参照）。
【０００３】
図３は、特許文献１に記載された従来の空気調和機の制御装置の構成を示すものである。図３に示すように、空気調和機本体に搭載された室内制御部３１に設けられた故障判定部３１ａとＥＥＰＲＯＭ３１ｂと信号判別部３１ｃと表示判別部３１ｄと、室内温度検出部３２と、配管温度検出部３３と、リモコン３４と、本体表示部３５から構成されている。
【特許文献１】特開平９−２９２１５２号公報
【発明の開示】
【発明が解決しようとする課題】
【０００４】
しかしながら、前記従来の構成では、空気調和機に異常が発生したときの状態しか記憶されないため、空気調和機が異常に至るまでの経緯や、使用開始時点では正常であったかどうかなどの状況を確認することができないという課題を有していた。
【０００５】
本発明は、前記従来の課題を解決するもので、空気調和機が運転を開始した時の運転情報を記憶することにより、故障発生時などに故障の原因解析などを容易に行えるようにした、空気調和機の制御装置を提供することを目的とする。
【課題を解決するための手段】
【０００６】
前記従来の課題を解決するために、本発明の空気調和機の制御装置は、空気調和機の運転開始後の初回の圧縮機運転から所定時間後に、前記検出手段により検出した室温と吹き出し温度と外気温と圧縮機運転周波数のいずれか１つまたは複数の運転情報を前記不揮発性記憶手段に記憶するようにしたものである。
【０００７】
これによって、空気調和機が異常に至るまでの経緯や、使用開始時点では正常であったかどうかなどの状況を確認することができるようになる。
【発明の効果】
【０００８】
本発明の空気調和機の制御装置は、空気調和機の不揮発性記憶手段に運転情報を記憶することで、その情報を用いて故障発生時などに故障の原因解析などを容易に行うことができ、故障解析や修理に要する工数や費用を削減することができる。また、運転情報の読み出しに専用端子などを使用するがないため、コストを削減することができる。
【発明を実施するための最良の形態】
【０００９】
第１の発明は、室温を検出する室温検出手段と、空気調和機の吹き出す風の温度を検出する吹き出し温度検出手段と、外気の温度を検出する外気温検出手段と、圧縮機の運転周波数を検出する圧縮機運転周波数検出手段と、圧縮機運転開始からの時間を計測する圧縮機運転時間計測手段と、読み書き可能な不揮発性記憶手段とを備えた空気調和機において、空気調和機の運転開始後の初回の圧縮機運転から所定時間後に、前記検出手段により検出した室温と吹き出し温度と外気温と圧縮機運転周波数のいずれか１つまたは複数の運転
情報を前記不揮発性記憶手段に記憶するようにしたことにより、運転開始時の運転情報を記憶することができ、その情報を用いて故障発生時などに故障の原因解析などを容易に行うことができる。
【００１０】
第２の発明は、特に第１の発明の不揮発性記憶手段への運転情報の書き込みは、空気調和機の電源投入後の初回運転時のみに、初回の圧縮機運転から所定時間後に実施するようにしたことにより、電源投入直後の運転開始時の運転情報を記憶することができ、その情報を用いて故障発生時などに故障の原因解析などを容易に行うことができる。
【００１１】
第３の発明は、特に第１の発明の不揮発性記憶手段への運転情報の書き込みは、空気調和機の試運転時の初回のみに、圧縮機運転から所定時間後に実施するようにしたことにより、設置後の試運転時の運転情報を記憶することができ、その情報を用いて故障発生時などに故障の原因解析などを容易に行うことができる。
【００１２】
第４の発明は、特に、第１〜第３のいずれかの発明の不揮発性記憶手段への運転情報の書き込みは、製品出荷後１回しか実施しないようにしたことにより、空気調和機設置後の初回運転時の運転情報を記憶することができ、その情報を用いて故障発生時などに故障の原因解析などを容易に行うことができる。
【００１３】
第５の発明は、特に、第１〜第４の発明で空気調和機の運転、停止や設定温度などを外部から制御する機器を接続するための端子を備えることにより、外部から空気調和機を運転することができ、そのときの運転情報を記憶することができ、その情報を用いて故障発生時などに故障の原因解析などを容易に行うことができる。
【００１４】
第６の発明は、特に、第１〜第５の発明の吹き出し温度検出手段は、空気調和機の熱交換器の温度を検出する熱交温度検出手段であることにより、空気調和機の吹き出し温度を検出するための特別なセンサーなどを使用する必要がなくなる。
【００１５】
第７の発明は、特に、第１〜第６の発明の不揮発性記憶手段は、ＥＥＰＲＯＭであることにより、容易に入手することができる。
【００１６】
第８の発明は、特に、第５〜第７の発明の不揮発性記憶手段に記憶された運転情報の読み出しは、空気調和機の運転、停止や設定温度などを外部から制御する機器を接続するための端子を用いて行えるようにしたことにより、運転情報の読み出し専用に端子や装置を用意する必要がなく、また部品を取り外す必要もなくなる。
【００１７】
以下、本発明の実施の形態について、図面を参照しながら説明する。なお、この実施の形態によって本発明が限定されるものではない。
【００１８】
（実施の形態１）
図１は、本発明の実施の形態１における空気調和機の制御装置の構成図、図２は、本発明の実施の形態１における空気調和機の制御装置の動作を示すフローチャートである。
【００１９】
図１において、室内機制御装置１は室温を検出する室温検出手段３と、空気調和機の吹き出す風の温度を検出する吹き出し温度検出手段４と、圧縮機運転開始からの時間を計測する圧縮機運転時間計測手段７と、読み書き可能な不揮発性記憶手段８を備え、室外機制御装置２は外気の温度を検出する外気温検出手段５と、圧縮機の運転周波数を検出する圧縮機運転周波数検出手段６とを備えた構成で、相互に通信を行っている。
【００２０】
以上のように構成された空気調和機の制御装置について、以下その動作、作用を説明す
る。
【００２１】
まず、リモコン９等により空気調和機の運転を開始すると（ステップＳＴ１）、室温とリモコン９等により設定された設定温度の情報に基づき圧縮機１０の運転を開始する（ステップＳＴ２）。圧縮機１０の運転が開始されると、圧縮機運転時間Ｔの計時を開始し、圧縮機運転中は計時を継続し（ステップＳＴ３）、圧縮機１０が停止すると計時した時間をクリアする（ステップＳＴ４）。圧縮機運転時間Ｔが所定時間Ｔａ経過、たとえば１０分経過した時点で（ステップＳＴ５）、室温や吹き出し温度や外気温、圧縮機運転周波数などの空気調和機の運転情報を検出し（ステップＳＴ６）、その情報をＥＥＰＲＯＭなどの不揮発メモリー８に記憶する（ステップＳＴ７）。
【００２２】
以上のように、本実施の形態においては、運転開始時の運転情報を記憶して、その情報を用いて故障発生時などに故障の原因解析などを容易に行うことができ、故障解析や修理に要する工数や費用を削減することができる。
【００２３】
また、本実施の形態の不揮発性記憶手段への運転情報の書き込みを、空気調和機の電源投入後の初回運転時のみに、初回の圧縮機運転から所定時間後に実施するようにすることにより、電源投入直後の運転開始時の運転情報を記憶することができ、その情報を用いて故障発生時などに故障の原因解析などを容易に行うことができる。
【００２４】
また、本実施の形態の不揮発性記憶手段への運転情報の書き込みを、空気調和機の試運転時の初回のみに、圧縮機運転から所定時間後に実施するようにすることにより、設置後の試運転時の運転情報を記憶することができ、その情報を用いて故障発生時などに故障の原因解析などを容易に行うことができる。また、空気調和機設置時に製品が正常であったかどうかの判定を行うことも可能となる。
【００２５】
また、本実施の形態の不揮発性記憶手段への運転情報の書き込みを、製品出荷後１回しか実施しないようにすることにより、空気調和機設置後の初回運転時の運転情報を記憶することができ、その情報を用いて故障発生時などに故障の原因解析などを容易に行うことができる。また、空気調和機設置時に製品が正常であったかどうかの判定を行うことも可能となる。
【００２６】
尚、前記３つの場合の初回のみの記憶は、実使用上の移設や誤操作も考慮して、リセットして記憶しなおすことができるようにしておくことが望ましい。
【００２７】
また、本実施の形態の空気調和機は、空気調和機の運転、停止や設定温度などを外部から制御する機器を接続するための端子を備えることにより、外部から空気調和機を運転することができ、そのときの運転情報を記憶することができ、その情報を用いて故障発生時などに故障の原因解析などを容易に行うことができる。
【００２８】
また、本実施の形態の吹き出し温度検出手段は、空気調和機の熱交換器の温度を検出する熱交温度検出手段であることにより、空気調和機の吹き出し温度を検出するための特別なセンサーなどを使用する必要がなくなるなり、コストを削減できる。
【００２９】
また、本実施の形態の不揮発性記憶手段は、ＥＥＰＲＯＭであることにより、容易に入手することができ、コストの削減や生産性の向上を図ることができる。
また、本実施の形態の不揮発性記憶手段に記憶された運転情報の読み出しは、空気調和機の運転、停止や設定温度などを外部から制御する機器を接続するための端子を用いて行えるようにしたことにより、運転情報の読み出し専用に端子や装置を用意する必要がなく、また部品を取り外す必要もなくなるため、コストの削減や、故障解析や修理に要する工数
や費用を削減することができる。
【産業上の利用可能性】
【００３０】
以上のように、本発明にかかる空気調和機の制御装置は、空気調和機の運転開始時の運転情報を記憶することができ、その情報を用いて故障発生時などに故障の原因解析などを容易に行うことができ、故障解析や修理に要する工数や費用を削減することが可能となるので、不揮発性記憶手段を搭載した電子・電気機器の用途に広く適用できる。
【図面の簡単な説明】
【００３１】
【図１】本発明の実施の形態１における空気調和機の制御装置の構成図
【図２】本発明の実施の形態１における制御装置の動作を示すフローチャート
【図３】従来の空気調和機の制御装置の構成図
【符号の説明】
【００３２】
３  室温検出手段
４  吹き出し温度検出手段
５  外気温検出手段
６  圧縮機運転周波数検出手段
７  圧縮機運転時間計測手段
８  不揮発性記憶手段
【図１】
2005308318.tif 000003
【図２】
2005308318.tif 000004
【図３】
2005308318.tif 000005